(57)【要約】【課題】血液の粘度を低くすることで、血液をスムーズに人工腎臓に循環させる。循環される血液に効果的に遠赤外線を照射できる透析チューブを簡単かつ容易に、しかも安価に多量生産する。【解決手段】透析チューブは、赤外線を放射する天然石を粉砕してなる天然石粉末３を円筒状にしてなる天然石粉末層２を表面に設けている。【選択図】図４
2011015921.tif 000002
【特許請求の範囲】
【請求項１】
赤外線を放射する天然石を粉砕してなる天然石粉末(3)を円筒状にしてなる天然石粉末層(2)を表面に設けてなることを特徴とする透析チューブ。
【請求項２】
可撓性を有するチューブ本体(1)を備え、このチューブ本体(1)の外側表面に、天然石粉末(3)がバインダー(9)で付着されて天然石粉末層(2)を設けてなる請求項１に記載される透析チューブ。
【請求項３】
可撓性を有するチューブ本体(1)と、このチューブ本体(1)の表面に同軸に配置してなる外側チューブ(4)とを備え、チューブ本体(1)と外側チューブ(4)とこの間には充填隙間(5)を設けており、この充填隙間(5)に前記天然石粉末(3)が充填されてなる請求項１に記載される透析チューブ。
【請求項４】
前記チューブ本体(1)が断熱チューブで、前記天然石粉末層(2)の外側に加温器(7)を設けてなる請求項２又は３に記載される透析チューブ。
【請求項５】
チューブ本体(1)の外側表面に外側チューブ(4)を配置して、チューブ本体(1)と外側チューブ(4)との間に天然石粉末(3)が充填されてなる透析チューブの製造方法であって、
前記チューブ本体(1)と外側チューブ(4)との間にスペーサ(6)を配置して、チューブ本体(1)と外側チューブ(4)とを充填隙間(5)を設けて配置するスペーサ配置工程と、
天然石を粉末状に粉砕して天然石粉末(3)とし、この天然石粉末(3)に液体を添加してペースト状の充填材料とし、ペースト状の充填材料を前記チューブ本体(1)と外側チューブ(4)との間の充填隙間(5)に充填する充填工程と、
前記充填工程の後、ペースト状の充填材料に含まれる液体を乾燥してチューブ本体(1)と外側チューブ(4)との間に天然石粉末(3)からなる天然石粉末層(2)を設ける乾燥工程とで表面を天然石粉末(3)で被覆してなる透析チューブを製作することを特徴とする透析チューブの製造方法。
【請求項６】
赤外線を放射する天然石を粉砕してなる天然石粉末(3)を円筒状にしてなる天然石粉末層(2)を表面に設けてなることを特徴とする輸液チューブ。
【請求項７】
可撓性を有するチューブ本体(1)を備え、このチューブ本体(1)の外側表面に、天然石粉末(3)がバインダー(9)で付着されて天然石粉末層(2)を設けてなる請求項６に記載される輸液チューブ。
【請求項８】
可撓性を有するチューブ本体(1)と、このチューブ本体(1)の表面に同軸に配置してなる外側チューブ(4)とを備え、チューブ本体(1)と外側チューブ(4)とこの間には充填隙間(5)を設けており、この充填隙間(5)に前記天然石粉末(3)が充填されてなる請求項６に記載される輸液チューブ。
【請求項９】
前記チューブ本体(1)が断熱チューブで、前記天然石粉末層(2)の外側に加温器(7)を設けてなる請求項７又は８に記載される輸液チューブ。
【請求項１０】
チューブ本体(1)の外側表面に外側チューブ(4)を配置して、チューブ本体(1)と外側チューブ(4)との間に天然石粉末(3)が充填されてなる輸液チューブの製造方法であって、
前記チューブ本体(1)と外側チューブ(4)との間にスペーサ(6)を配置して、チューブ本体(1)と外側チューブ(4)とを充填隙間(5)を設けて配置するスペーサ配置工程と、
天然石を粉末状に粉砕して天然石粉末(3)とし、この天然石粉末(3)に液体を添加してペースト状の充填材料とし、ペースト状の充填材料を前記チューブ本体(1)と外側チューブ(4)との間の充填隙間(5)に充填する充填工程と、
前記充填工程の後、ペースト状の充填材料に含まれる液体を乾燥してチューブ本体(1)と外側チューブ(4)との間に天然石粉末(3)からなる天然石粉末層(2)を設ける乾燥工程とで表面を天然石粉末(3)で被覆してなる輸液チューブを製作することを特徴とする輸液チューブの製造方法。
【発明の詳細な説明】
【技術分野】
【０００１】
本発明は、人工透析に使用する透析チューブ、及び輸液を人体に注入する輸液チューブとこれ等の製造方法に関する。
【背景技術】
【０００２】
人工透析は、腎臓の機能低下した患者に、腎臓に代わって血液組織を正常化するために使用される。人工透析は、人工腎臓に患者の血液を循環させる血液透析が主たるものであるが、人工腎臓に患者の血液を循環させるために透析チューブを使用している。（特許文献１参照）
従来の人工透析は、患者の血管にカテーテルを挿入し、このカテーテルに透析チューブを連結し、透析チューブを介して人工腎臓を患者の血管に連結して血液を循環させる。この人工透析は３〜７時間をかけて患者の血液を人工腎臓に循環して、血液組織を正常化させる。
【先行技術文献】
【特許文献】
【０００３】
【特許文献１】特開２００５−１６８８００
【発明の開示】
【発明が解決しようとする課題】
【０００４】
人工透析においては、循環させる血液を流れやすくし、患者の血液を人工腎臓にスムーズに循環させることで血液組織を速やかに正常化できる。しかしながら、患者や血液に影響を与えることなく、血液を流れやすくする技術は開発されておらず、人工透析には、長い時間がかかっているのが現状である。
【０００５】
本発明の第１の目的は、血液の粘度を低くすることで、血液をスムーズに人工腎臓に循環できる透析チューブを提供することにある。
【０００６】
血液は、遠赤外線が照射されると流れやすくなる性質がある。図１と図２は、人体に遠赤外線を照射して、血液が流れやすくなって流速が速くなり、また、流量が多くなることを示すグラフである。図１と図２は、仰臥する人体の下に、遠赤外線を放射する天然石粉末を塗布しているシートを配置し、３０分経過後に人体の頸部の血管に流れる血液の流速と流量を検出したグラフである。図１は血液の流速を示し、図２は流量を示している。図１と図２において、コントロールは遠赤外線を照射しない状態を示し、試験例は、同じ被験者であって３０分間遠赤外線を照射した被験者の血液の流速と流量を示している。これ等の図は、遠赤外線を照射することで、血液の流速が３２．２％増加し、流量が１９．１％増加することを示している。
【０００７】
図１と図２は、遠赤外線を照射して、血液を流れやすくできることを示すものであるが、循環される血液に効果的に遠赤外線を照射する透析チューブの製造には手間がかかって製造コストが高くなる。本発明の第２の目的は、この欠点を解決すること、すなわち循環される血液に効果的に遠赤外線を照射できる透析チューブを簡単かつ容易に、しかも安価に多量生産できる透析チューブの製造方法を提供することにある。
【０００８】
さらに、透析チューブと同様に、輸液チューブを使用して輸液が患者の静脈に注入される。輸液チューブは、輸液バックに充填している輸液を、脱水症状や低栄養状態にある患者に点滴して注入する。輸液には、リンゲル液、電解質液、ブドウ糖液、果糖液などが使用される。輸液チューブは、これの輸液を充填している輸液バックを、患者に挿通しているカテーテルを介して患者の静脈に連結して、静脈に点滴して輸液を注入する。輸液チューブを流れる輸液も遠赤外線を照射することで流れやすくなって、患者の静脈にスムーズに注入できる。
【０００９】
本発明の第３の目的は、患者の静脈にスムーズに輸液を注入できる輸液チューブを提供することにあり、さらに、本発明の第４の目的は、輸液に効果的に遠赤外線を照射できる輸液チューブを簡単かつ容易に、しかも安価に多量生産できる輸液チューブの製造方法を提供することにある。
【課題を解決するための手段及び発明の効果】
【００１０】
本発明の請求項１の透析チューブは、赤外線を放射する天然石を粉砕してなる天然石粉末３を円筒状にしてなる天然石粉末層２を表面に設けている。
以上の透析チューブは、血液に遠赤外線を照射して血液を流れやすくしてスムーズに人工腎臓に循環できる特徴がある。とくに、天然石粉末からなる円筒状の天然石粉末層の内側に血液を通過させるので、天然石粉末層から効果的に遠赤外線を照射して血液を流れやすくできる特徴がある。
【００１１】
本発明の透析チューブは、可撓性を有するチューブ本体１を備え、このチューブ本体１の外側表面に、天然石粉末３をバインダー９で付着させて天然石粉末層２を設けることができる。
この透析チューブは、簡単に製造して血液に遠赤外線を照射できる。
【００１２】
本発明の透析チューブは、可撓性を有するチューブ本体１と、このチューブ本体１の表面に同軸に配置してなる外側チューブ４とを備えて、チューブ本体１と外側チューブ４との間に充填隙間５を設けて、この充填隙間５に天然石粉末３を充填することができる。
この透析チューブは、天然石粉末層の外側を外側チューブで保護して、天然石粉末層の損傷や破損を確実に防止できる特徴がある。
【００１３】
本発明の透析チューブは、チューブ本体１を断熱チューブとして、天然石粉末層２の外側に加温器７を設けることができる。
この透析チューブは、血液に与える熱的な影響を阻止しながら、天然石粉末層からは効果的に多量の遠赤外線を血液に照射できる特徴がある。また、加温器が血液を加温しないので、加温器の熱エネルギを有効に利用して天然石粉末層を加温できる特徴も実現する。
【００１４】
本発明の請求項５の透析チューブの製造方法は、チューブ本体１の外側表面に外側チューブ４を配置して、チューブ本体１と外側チューブ４との間に天然石粉末３を充填する。透析チューブの製造方法は、チューブ本体１と外側チューブ４との間にスペーサ６を配置して、チューブ本体１と外側チューブ４とを充填隙間５を設けて配置するスペーサ配置工程と、天然石を粉末状に粉砕して天然石粉末３とし、この天然石粉末３に液体を添加してペースト状の充填材料とし、ペースト状の充填材料をチューブ本体１と外側チューブ４との間の充填隙間５に充填する充填工程と、充填工程の後、ペースト状の充填材料に含まれる液体を乾燥してチューブ本体１と外側チューブ４との間に天然石粉末３からなる天然石粉末層２を設ける乾燥工程とで表面を天然石粉末３で被覆してなる透析チューブを製作する。
【００１５】
以上の製造方法によると、簡単かつ容易に、しかも能率よく簡単に製造しながら、血液に効率よく遠赤外線を照射できる透析チューブを製造できる。とくに、以上の製造方法は、チューブ本体と外側チューブとの間隔をスペーサで一定に保持し、この状態で天然石粉末に液体を添加してペースト状とした充填材料を充填し、その後、ペースト状の充填材料に含まれる液体を乾燥することで、チューブ本体と外側チューブとの間に天然石粉末からなる天然石粉末層を設けるので、チューブ本体と外側チューブとの間に均一な厚さで簡単に天然石粉末を充填できる。チューブ本体と外側チューブの間に均一に充填された天然石粉末は、重量に対する表面積が極めて大きく、その表面から効率よく遠赤外線を放射して血液に照射する。それは、物体が単位面積に放射するエネルギーは、ステファン・ボルツマンの法則により、物質の絶対温度の４乗とステファン・ボルツマン定数の積に比例して大きくなるからである。重量を同じとする物体の表面積は、小さく粉砕して粒径を小さくして大きくできる。粉砕されて粒径が半分になると、同じ重量では表面積が２倍となり、粒径が１／１０になると表面積は１０倍も大きくなる。したがって、天然石を粉末状に粉砕して天然石粉末としてチューブ本体と外側チューブとの間に充填する構造は、円筒状の天然石に比較して遠赤外線の放射エネルギーを大きくできる。ただ、天然石粉末は、円筒状の天然石に比較して、チューブ本体の外側に均一に分散して配置するのが難しい。円筒状の天然石は、中心にチューブ本体を挿通してその外側に均一に配置できるのに対し、天然石粉末はチューブ本体と外側チューブとの間に簡単に充填できないからである。とくに、血液に遠赤外線を照射する時間を長くするために、チューブ本体を長くすると、その全周に均一に天然石粉末を充填するのが極めて難しくなる。ところが、本発明の製造方法は、天然石粉末に液体を添加してペースト状の充填材料として充填するので、チューブ本体と外側チューブの間に極めて簡単に充填できる。また、チューブ本体と外側チューブが長くなっても、ペースト状の充填材料はスムーズに流し込んで充填できる。したがって、本発明は、チューブ本体の外側に均一に天然石粉末を配置してなる透析チューブを簡単かつ容易に製造できる。
【００１６】
本発明の請求項６の輸液チューブは、赤外線を放射する天然石を粉砕してなる天然石粉末３を円筒状にしてなる天然石粉末層２を表面に設けている。
以上の輸液チューブは、輸液に遠赤外線を照射して輸液を流れやすくして、患者の静脈にスムーズに輸液を注入できる特徴がある。とくに、天然石粉末からなる円筒状の天然石粉末層の内側に輸液を通過させるので、天然石粉末層から効果的に遠赤外線を照射して輸液を流れやすくできる特徴がある。
【００１７】
本発明の輸液チューブは、可撓性を有するチューブ本体１を備え、このチューブ本体１の外側表面に、天然石粉末３をバインダー９で付着させて天然石粉末層２を設けることができる。
この輸液チューブは、簡単に製造して輸液に遠赤外線を照射できる。
【００１８】
本発明の輸液チューブは、可撓性を有するチューブ本体１と、このチューブ本体１の表面に同軸に配置してなる外側チューブ４とを備えて、チューブ本体１と外側チューブ４との間に充填隙間５を設けて、この充填隙間５に天然石粉末３を充填することができる。
この輸液チューブは、天然石粉末層の外側を外側チューブで保護して、天然石粉末層の損傷や破損を確実に防止できる特徴がある。
【００１９】
本発明の輸液チューブは、チューブ本体１を断熱チューブとして、天然石粉末層２の外側に加温器７を設けることができる。
この輸液チューブは、輸液に与える熱的な影響を阻止しながら、天然石粉末層からは効果的に多量の遠赤外線を輸液に照射できる特徴がある。また、加温器が輸液を加温しないので、加温器の熱エネルギを有効に利用して天然石粉末層を加温できる特徴も実現する。
【００２０】
本発明の請求項１０の輸液チューブの製造方法は、チューブ本体１の外側表面に外側チューブ４を配置して、チューブ本体１と外側チューブ４との間に天然石粉末３が充填する。輸液チューブの製造方法は、チューブ本体１と外側チューブ４との間にスペーサ６を配置して、チューブ本体１と外側チューブ４とを充填隙間５を設けて配置するスペーサ配置工程と、天然石を粉末状に粉砕して天然石粉末３とし、この天然石粉末３に液体を添加してペースト状の充填材料とし、ペースト状の充填材料をチューブ本体１と外側チューブ４との間の充填隙間５に充填する充填工程と、充填工程の後、ペースト状の充填材料に含まれる液体を乾燥してチューブ本体１と外側チューブ４との間に天然石粉末３からなる天然石粉末層２を設ける乾燥工程とで表面を天然石粉末３で被覆してなる輸液チューブを製作する。
以上の製造方法によると、輸液に効果的に遠赤外線を照射できる輸液チューブを、簡単かつ容易に、しかも安価に多量生産できる。とくに、以上の製造方法は、チューブ本体と外側チューブとの間隔をスペーサで一定に保持し、この状態で天然石粉末に液体を添加してペースト状とした充填材料を充填し、その後、ペースト状の充填材料に含まれる液体を乾燥することで、チューブ本体と外側チューブとの間に天然石粉末からなる天然石粉末層を設けるので、チューブ本体と外側チューブとの間に均一な厚さで簡単に天然石粉末を充填できる。
【図面の簡単な説明】
【００２１】
【図１】遠赤外線が照射された人体の血流速度の変化を示すグラフである。
【図２】遠赤外線が照射された人体の血流量の変化を示すグラフである。
【図３】本発明の一実施例にかかる透析チューブ及び輸液チューブの拡大断面図である。
【図４】本発明の他の実施例にかかる透析チューブ及び輸液チューブの拡大断面図である。
【図５】図４に示す透析チューブ及び輸液チューブの製造方法のスペーサ配置工程を示す斜視図である。
【図６】本発明の他の実施例にかかる透析チューブ及び輸液チューブの概略斜視図である。
【図７】図６に示す透析チューブ及び輸液チューブの拡大断面図である。
【図８】本発明の他の実施例にかかる透析チューブ及び輸液チューブの概略斜視図である。
【図９】図８に示す透析チューブ及び輸液チューブの拡大断面図である。
【発明を実施するための形態】
【００２２】
以下、本発明の実施例を図面に基づいて説明する。ただし、以下に示す実施例は、本発明の技術思想を具体化するための透析チューブ、輸液チューブ、及びこれ等の製造方法を例示するものであって、本発明は透析チューブ、輸液チューブ、及びこれ等の製造方法を以下に特定するものではない。
【００２３】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００２４】
透析チューブと輸液チューブとは同じ構造を有し、図３ないし図９に示している。これ等の図に示す透析チューブや輸液チューブは、赤外線を放射する天然石を粉砕している天然石粉末３を円筒状にしている天然石粉末層２を表面に設けている。図３に示す透析チューブや輸液チューブは、可撓性を有するチューブ本体１の外側表面に、天然石粉末３をバインダー９で付着して天然石粉末層２を設けている。図４の透析チューブや輸液チューブは、可撓性を有するチューブ本体１と、このチューブ本体１の表面に同軸に配置している外側チューブ４とを備えており、チューブ本体１と外側チューブ４とこの間に充填隙間５を設けて、この充填隙間５に天然石粉末３を充填して天然石粉末層２を設けている。さらに、図６ないし図９の透析チューブや輸液チューブは、チューブ本体１を断熱チューブとして、天然石粉末層２の外側に加温器７を設けている。
【００２５】
チューブ本体１は、可撓性のあるチューブとしてプラスチックチューブを使用する。図３と図４のチューブ本体１は、必ずしも断熱チューブを使用する必要はないが、図６ないし図９に示すチューブ本体１には、加温器７で加温される天然石粉末層２の熱を遮断する断熱チューブを使用する。ただし、図３と図４のチューブ本体１にも断熱チューブを使用することができるのは言うまでもない。断熱チューブには、ゴムチューブやプラスチックチューブを使用する。さらに、断熱チューブは、プラスチックチューブの外側を発泡プラスチックチューブで被覆するチューブを使用して、断熱特性をより向上できる。チューブ本体１に断熱チューブを使用するのは、加温器７で加温される天然石粉末層２の熱が血液や輸液に伝導されるのを防止して、血液や輸液の熱影響を防止し、また加温器７の熱エネルギを有効に天然石粉末層２の加温に利用するためである。
【００２６】
加温器７で加温される天然石粉末層２は、絶対温度の４乗に比例して遠赤外線の放射強度が増加するので、温度を高くして遠赤外線の放射強度を強くできる。チューブ本体１は、その内径を１０ｍｍ〜２０ｍｍとして内部に血液や輸液を通過させる。ただ、チューブ本体１は、その内径を大きくして、既存の透析チューブや輸液チューブを挿入して、天然石粉末層２から遠赤外線を血液や輸液に照射することもできる。
【００２７】
外側チューブ４は、チューブ本体１と同軸に配設されて、チューブ本体１との間に天然石粉末層２を配置する充填隙間５を設けている。外側チューブ４は、その内径をチューブ本体１の外形よりも大きく、たとえば２ｍｍ〜５ｍｍ大きくしている。図６ないし図９の透析チューブや輸液チューブは、外側チューブ４の外側に加温器７を配置している。この加温器７は、天然石粉末層２を加温する。したがって、加温器７の熱が外側に放熱されるのを防止するために、加温器７の外側を断熱層８で被覆している。この構造は、断熱層８で加温器７の熱が外側に放熱されるのを防止できるので、外側チューブ４に、チューブ本体１と同じゴムチューブやプラスチックチューブを使用して、加温器７の熱を効率よく天然石粉末層２に伝導できる。
【００２８】
チューブ本体１と外側チューブ４の間に天然石粉末３を円筒状に充填するために、チューブ本体１と外側チューブ４との間にはスペーサ６を配置している。スペーサ６は、天然石粉末３を充填されない状態で、チューブ本体１と外側チューブ４とを同軸状に配置する。スペーサ６は、図６に示すように、外形を外側チューブ４の内径とする外側リング６Ａと、内側にチューブ本体１を挿通する内側リング６Ｂとを放射状の連結アーム６Ｃで連結して、外側リング６Ａと内側リング６Ｂとの間にペースト状の充填材料を通過させる貫通孔６Ｄを設けている。このスペーサ６は、プラスチックや金属で製作される。
【００２９】
天然石粉末３は、遠赤外線を効率よく照射する天然石を粉砕したものである。天然石粉末３には、火成岩の粉末を使用する。火成岩には、以下の組成の石英・長石からなる流紋岩を使用して、遠赤外線を効率よく放射できる。以下の組成の石英・長石からなる流紋岩である火成岩は、黒体に対する赤外線の放射率が８９％と高く、しかも放射する遠赤外線の波長が遠赤外線の波長領域にある。
【００３０】
酸化珪素（ＳｉＯ２）………………７１．３重量％
アルミナ（Ａｌ２Ｏ３）………………１７．１重量％
酸化鉄（Ｆｅ２Ｏ３）…………………２．３重量％
酸化チタン（ＴｉＯ２）………………０．１重量％
酸化カルシウム（ＣａＯ）…………２．３重量％
酸化マグネシウム（ＭｇＯ）………０．２重量％
酸化カリウム（Ｋ２Ｏ）………………２．６重量％
酸化ナトリウム（Ｎａ２Ｏ）…………３．０重量％
【００３１】
天然石粉末３は、チューブ本体１と外側チューブ４との間にスムーズに充填できるように、平均粒径を約５μｍとする。ただし、天然石粉末３は、平均粒径を１μｍ〜１００μｍとするものも使用できる。天然石粉末３は、平均粒径を小さくして、スムーズに充填しながら表面積を大きくできる。
【００３２】
天然石粉末３は、水などの液体を添加してペースト状の充填材料とし、ペースト状の充填材料の状態でスペーサ６で一定の間隔に保持しているチューブ本体１と外側チューブ４との間に充填される。充填された充填材料の液体は、乾燥されて除去される。
【００３３】
加温器７は、電気ヒーター７Ａや内部に温水を流す熱交換チューブ７Ｂである。図６ないし図９の透析チューブや輸液チューブは、外側チューブ４の外側に電気ヒーター７Ａや熱交換チューブ７Ｂの加温器７を巻き付けている。この加温器７は、外側チューブ４を介して天然石粉末層２を設定温度に加温する。加温器７が天然石粉末層２を加温する設定温度は、４０℃〜６０℃に設定される。加温器７は、設定温度を高くして天然石粉末層２が遠赤外線を照射する強度を向上できるので、設定温度は、好ましくは４０℃以上、より好ましくは５０℃以上とする。設定温度が高過ぎると、血液や輸液に熱影響を与える確率が高くなるので、好ましくは６０℃よりも低く、さらに好ましくは５０℃よりも低く設定する。図６に示す加温器７の電気ヒーター７Ａは、天然石粉末層２を設定温度に加温するために、温度センサ１０と、この温度センサ１０で電気ヒーター７Ａの通電を制御する制御回路１１とを備えている。ただ、電気ヒーターは、ＰＴＣのように設定温度になると電気抵抗が急激に増加して通電を制御されるものを使用することもできる。この電気ヒーターは、温度センサや制御回路を使用することなく、天然石粉末層を設定温度に加温できる。熱交換チューブ７Ｂは、図８に示すように、内部に流す温水を設定温度にコントロールして、天然石粉末層２を設定温度に加温する。熱交換チューブ７Ｂは、温水を設定温度に加温して循環させる加温機構１２に連結されて、天然石粉末層２を設定温度に加温する。
【００３４】
図４の透析チューブや輸液チューブは、以下の工程で製造される。
［スペーサ配置工程］
図５に示すように、チューブ本体１と外側チューブ４との間にスペーサ６を配置して、チューブ本体１と外側チューブ４の間隔を所定の間隔に保持する。この工程は、スペーサ６の内側リング６Ｂにチューブ本体１を挿通した後、スペーサ６に挿入しているチューブ本体１を外側チューブ４に挿入して、スペーサ６でチューブ本体１と外側チューブ４の間隔を一定とする。
【００３５】
［充填工程］
チューブ本体１と外側チューブ４の間に天然石粉末３を充填するために、遠赤外線を照射する天然石の天然石を粉末状に粉砕して天然石粉末３とする。粉末状の天然石粉末３は、平均粒径を約５μｍとする。粉砕された天然石粉末３に液体を添加してペースト状の充填材料とする。液体に水を使用するが、水以外のアルコールやシンナーなどの揮発しやすい液体を使用して、乾燥時間を短縮することもできる。液体の添加量は、少なすぎると流動性が悪くなり、反対に多すぎると乾燥に時間がかかるので、好ましくは１００重量部の天然石粉末３に対して５０重量部〜２００重量部の液体を添加する。液体を添加し、撹拌してペースト状となった充填材料をチューブ本体１と外側チューブ４との間に流し込んで充填する。
【００３６】
［乾燥工程］
充填材料を充填した後、ペースト状の充填材料に含まれる液体を乾燥してチューブ本体１と外側チューブ４との間に天然石粉末３からなる天然石粉末層２を設ける。
【００３７】
加温器７を有する透析チューブや輸液チューブは、乾燥工程の後、図６ないし図９に示すように、外側チューブ４の外側に電気ヒーター７Ａや熱交換チューブ７Ｂを巻き付けた後、その表面を断熱層８で被覆する。断熱層８には、ガラス繊維、プラスチック発泡体、不織布などを使用する。
【符号の説明】
【００３８】
１…チューブ本体
２…天然石粉末層
３…天然石粉末
４…外側チューブ
５…充填隙間
６…スペーサ                ６Ａ…外側リング
６Ｂ…内側リング
６Ｃ…連結アーム
６Ｄ…貫通孔
７…加温器                  ７Ａ…電気ヒーター
７Ｂ…熱交換チューブ
８…断熱層
９…バインダー
１０…温度センサ
１１…制御回路
１２…加温機構
【図１】
2011015921.tif 000003
【図２】
2011015921.tif 000004
【図３】
2011015921.tif 000005
【図４】
2011015921.tif 000006
【図５】
2011015921.tif 000007
【図６】
2011015921.tif 000008
【図７】
2011015921.tif 000009
【図８】
2011015921.tif 000010
【図９】
2011015921.tif 000011